(57)【特許請求の範囲】
【請求項１】
乗りかごの出入り口に設けられたかご扉を、その開閉方向に沿ってガイドするかご側の敷居と、
前記乗りかごが着床可能な各階床の、前記乗りかごへの出入り口に設けられた乗り場扉を、その開閉方向に沿ってガイドする乗り場側の敷居と、
前記かご側の敷居と乗り場側の敷居との間に生じる隙間を塞ぐことができる平面形状を有し、前記隙間を塞いだ塞ぎ位置と前記かご側の敷居の下部の退避位置との間を移動可能に構成された塞ぎ部材と、
この塞ぎ部材を上部に取り付けて配置されたブラケットと、
前記塞ぎ部材の下方に配置され、前記ブラケットの下端部と係合し、常時はこのブラケットを下降させ、前記塞ぎ部材を前記かご側の敷居の下部の退避位置に位置させる押し下げ部材と、
前記かご扉の開動作に伴い、このかご扉側の作動部材と係合し、この係合により作動部材から受ける力で、前記押し下げ部材を上昇させる第１のリンク機構と、
前記ブラケットとかご側の支持部材との間に構成され、前記押し下げ部材の上昇に伴い、前記ブラケットを上昇させつつ横移動させ、このブラケット上に取り付けられた塞ぎ部材を前記退避位置から塞ぎ位置へ移動させる第２のリンク機構と、
を備えたことを特徴とするエレベータ装置。
【請求項２】
前記第１のリンク機構は、前記かご扉の戸開端近くに予め設定した開位置にてかご扉側の作動部材と係合し、前記かご扉の開方向への移動力を受けて、前記押し下げ部材を上昇させる方向に回動する作動リンクを有する請求項１に記載のエレベータ装置。
【請求項３】
前記第1のリンク機構は、前記かご扉の戸閉端寄りに予め設定した開位置にてかご扉側の作動部材と係合し、前記かご扉の開方向への移動力を受けて、前記押し下げ部材を上昇させる方向に回動する作動リンクを有し、前記作動部材は、前記かご扉に対して、その開閉方向に沿って相対的にスライド可能に支持され、常時はかご扉側と相対的にスライドするように構成されている請求項１に記載のエレベータ装置。
【請求項４】
前記塞ぎ部材の上面は、前記塞ぎ位置において前記かご側及び乗り場側の敷居の上面より下方に位置する請求項１乃至請求項３のいずれか１項に記載のエレベータ装置。
【請求項５】
前記塞ぎ部材の上面は、前記塞ぎ位置において前記かご側及び乗り場側の敷居の上面とほぼ同一高さに位置する請求項１乃至請求項３のいずれか１項に記載のエレベータ装置。
【請求項６】
前記塞ぎ部材は、前記ブラケットと弾性体を介して連結している請求項１乃至請求項５のいずれか１項に記載のエレベータ装置。
【請求項７】
前記弾性体が板バネで、この板バネとブラケットとの結合部には、板バネの湾曲により生じる隙間を覆うカバー部材を設けた請求項６に記載のエレベータ装置。
【請求項８】
前記塞ぎ部材は、前記乗りかごの昇降時に前記かご側の敷居が乗り場側に設けたインターロック機構とすれ違う部分で分割されている請求項１乃至請求項７のいずれか１項に記載のエレベータ装置。
【請求項９】
前記塞ぎ部材に樹脂材を用いた請求項１乃至請求項８のいずれか１項に記載のエレベータ装置。
【請求項１０】
前記塞ぎ部材の上部角部は面取りされている請求項１乃至請求項９のいずれか１項に記載のエレベータ装置。
【請求項１１】
前記第２のリンク機構には、前記ブラケットに常時上向きのばね力を与えるねじりバネが設けられている請求項１乃至請求項１０のいずれか１項に記載のエレベータ装置。
【発明の詳細な説明】
【技術分野】
【０００１】
本発明の実施形態は、乗りかごへの出入り口部の敷居間に生じる隙間のふさぎ構造を有するエレベータ装置に関する。
【背景技術】
【０００２】
建物の昇降路内に設置された乗りかごが、各階床間を昇降して人員や荷物を運搬するエレベータ装置では、乗りかごを昇降させるために、各階床の乗り場と乗りかごとの間に一定の隙間が設けられている。このため、乗りかごが乗り場に着床停止して出入り口の扉が開いた状態では、乗り場の敷居と乗りかご側の敷居との間に隙間が生じる。この敷居間の隙間は、人がつまずいたり、或いは車椅子や台車等の車輪が落ち込んで引っ掛かったりする原因となり、危険でもある。また、鍵やカード等の小物品が敷居隙間からピット内に落下するおそれもある。
【０００３】
そこで、従来、敷居隙間を塞ぐための塞ぎ部材を設け、扉の開放時に敷居隙間を塞ぐように動作させるものが提案されている（例えば、特許文献１参照）。
【先行技術文献】
【特許文献】
【０００４】
【特許文献１】特開平１０−８７２４４号公報
【発明の概要】
【発明が解決しようとする課題】
【０００５】
特許文献１の発明は、乗り場扉、かご扉が開いているときには、乗り場敷居とかご敷居との間の隙間全体を塞ぎ部で塞ぎ、隙間から昇降路内に物が落下するのを防ぐものである。具体的には、エレベータのかごが所定の階に着床し、乗り場扉、かご扉が全開すると、センサがそのことを検知し、横方向へ進退駆動する第１の駆動部（モータなどのアクチュエータ）を作動させ、第１の可動部を前記隙間の下方へ移動させる。その後、第１の可動部に搭載された第２の駆動部の励磁用コイル部を励磁して、塞ぎ部を乗り場敷居およびかご敷居の高さの位置に達するまで上昇させ、これら敷居間の隙間を塞いでいる。
【０００６】
このような装置では、上述した第１及び第２と２つの駆動部が必要であり、しかも、この駆動部として、モータや電磁コイルなどの、比較的高価なアクチュエータをそれぞれ設けなければならない。また、これらアクチュエータを所定のタイミングで順次連動させるためのセンサや制御回路が必要となる。このため、構成が複雑となり故障発生の要因になると共にコスト上も高価となる。
【０００７】
本発明は、乗り場側の敷居とかご側の敷居間の隙間を、乗り場扉の開閉動作に機械的に連動するリンク機構により塞ぎ動作させることにより、確実な動作を低コストで実現したエレベータ装置を提供することにある。
【課題を解決するための手段】
【０００８】
本発明の実施の形態に係るエレベータ装置は、乗りかごの出入り口に設けられたかご扉を、その開閉方向に沿ってガイドするかご側の敷居と、前記乗りかごが着床可能な各階床の、前記乗りかごへの出入り口に設けられた乗り場扉を、その開閉方向に沿ってガイドする乗り場側の敷居と、前記かご側の敷居と乗り場側の敷居との間に生じる隙間を塞ぐことができる平面形状を有し、前記隙間を塞いだ塞ぎ位置と前記かご側の敷居の下部の退避位置との間を移動可能に構成された塞ぎ部材と、この塞ぎ部材を上部に取り付けて配置されたブラケットと、前記塞ぎ部材の下方に配置され、前記ブラケットの下端部と係合し、常時はこのブラケットを下降させ、前記塞ぎ部材を前記乗りかご側の敷居の下部の退避位置に位置させる押し下げ部材と、前記かご扉の開動作に伴い、このかご扉側の作動部材と係合し、この係合により作動部材から受ける力で、前記押し下げ部材を上昇させる第１のリンク機構と、前記ブラケットとかご側の支持部材との間に構成され、前記押し下げ部材の上昇に伴い、前記ブラケットを上昇させつつ横移動させ、このブラケット上に取り付けられた塞ぎ部材を前記退避位置から塞ぎ位置へ移動させる第２のリンク機構とを備えたことを特徴とする。
【０００９】
上述の構成によれば、乗り場側の敷居とかご側の敷居間の隙間を、乗り場扉の開閉動作に機械的に連動するリンク機構により塞ぎ動作させるので、電気的なアクチュエータを要することなく、確実な動作を低コストで実現できる。
【図面の簡単な説明】
【００１０】
【図１】本発明の一実施形態に係るエレベータ装置の全体構成を示す図である。
【図２】本発明の一実施形態における乗りかごの扉部分を乗り場側から見た斜視図である。
【図３】本発明の一実施形態における塞ぎ部材と敷居隙間との関係を示す側面図である。
【図４】退避位置にある塞ぎ部材と第２のリンク機構との関係を示す斜視図である。
【図５】本発明の他の実施形態における作動部材と第１のリンク機構との関係を示す斜視図である。
【発明を実施するための形態】
【００１１】
以下、本発明の実施の形態について、図面を参照して詳細に説明する。
【００１２】
先ず、図１によりエレベータ装置の全体構成を説明する。図１で示すように、エレベータ装置１は、昇降路３内に配置された乗りかご４および釣合いおもり５を備える。昇降路３の上方には、メインロープ９を駆動する巻上機７及び制御装置８等が設置された機械室６が設けられている。制御装置８は、エレベータ装置１の全体を制御するもので、乗り場呼び又はかご呼びに応じて巻上機７を運転制御し、乗りかご４を呼びのあった階へ着床させる。
【００１３】
なお、機械室６を設けずに巻上機７や制御装置８を小形化して昇降路３内の上部に設けた、所謂機械室レスのエレベータ装置であってもよい。
【００１４】
このエレベータ装置１では、建屋の各階床に設けられた乗り場１１に、昇降路３内の乗りかご４に通じる出入り口１２が設けられ、この出入り口１２には、乗り場扉２が設けられている。この乗り場扉２は、乗りかご４の着床時、乗りかご４の出入り口２４に設けられたかご扉２５側と、図示しないインターロック機構を介して係合し、かご扉２５の開閉に連動して開閉動作する。
【００１５】
図２は乗りかご４の出入り口に設けられたかご扉２５が戸閉端位置（全閉位置）にあることを、乗り場１１側から見た斜視図である。かご扉２５は２枚の扉パネル２５ａ、２５ｂ（扉表面板の図示は省略している）を、互いに異なる図示左右方へ開動作させる所謂両開き方式である。これら２枚の扉パネル２５ａ、２５ｂは、扉開閉機構により図示左右方向に駆動され、開閉動作する。
【００１６】
なお、扉開閉機構は公知のものであり、本願発明とは直接的に関係しないので構造説明は省略するが、図示しないモータの動力により、２枚の扉パネル２５ａ、２５ｂを互いに連動させ、ガイドレールに沿って左右方向に駆動し、開閉動作させるものである。
【００１７】
この乗りかご４の出入り口部分には、かご側の敷居３１が設けられており、上述したかご扉２５を構成する２枚の扉パネル２５ａ、２５ｂを、その開閉方向に沿ってスライド可能にガイドする。このかご側の敷居３１は、乗りかごの出入り口２４の下辺部に設けられており、その上面に形成されたガイド溝は、２枚の扉パネル２５ａ、２５ｂの下端部とそれぞれ係合し、これらを開閉方向にガイドする。
【００１８】
このかご側の敷居３１に対し、乗り場１１側にも図３で示すように敷居３２が設けられている。この乗り場側の敷居３２は、かご側の敷居３１の一側面（図３の左側面)と所定の間隔を保って対向配置される。この乗り場側の敷居３２の上面にもガイド溝が形成されており、図１で示した乗り場扉２を、その開閉方向に沿ってスライド可能にガイドする。
【００１９】
この乗り場側扉２も、図示しないが２枚の扉パネルを有する両開き方式のもので、前述のように、乗りかご４が乗り場１１に着床すると、そのかご扉２５と係合し、かご扉２５と共に開閉動作する。すなわち、乗り場扉２は、乗りかご４が着床していないときは、図示しないインターロック機構により２枚の扉パネルが閉状態にロックされており、乗りかご４が着床すると、乗りかご４側の図示しない係合部材と係合して上述したロック状態が解かれ、かご扉２５と共に開閉動作する。
【００２０】
乗りかご４が所定階へ着床したとき、前述のように、かご側の敷居３１と乗り場側の敷居３２との間に、図３で示す隙間が生じる。本発明の実施形態では、この隙間を図示のように塞ぐために塞ぎ部材３５を設ける。
【００２１】
この塞ぎ部材３５は、図２で示すように、左右に分割されている。この分割部分は、乗りかご４の昇降時に、かご側の敷居３１が、乗り場側に設けられた図示しないインターロック機構（具体的には乗りかご側と係合するローラ部分）とすれ違う部分で、インターロック機構の通過を許容するために左右に間隔を保って分割されている。すなわち、万一、塞ぎ部材が塞ぎ位置まで繰り出された状態で乗りかごが昇降しても、乗り場側のインターロック機構は、繰り出された塞ぎ部材３５の分割部分に形成された空間を通過するので、繰り出された塞ぎ部材とインターロック機構とが衝突することがない。
【００２２】
乗り場側の敷居３２には、かご側の敷居３１との対向状態にて、この分割された空間部分内に突出して遊嵌する図示しないブロックが設けられている。このブロックは、乗り場側の敷居３２の、かご側の敷居３１と対向し、かつ、塞ぎ部材３５の分割された空間部分との対向部に一体的に設けられている。したがって、乗りかご４が着床して、乗り場側の敷居３２とかご側の敷居３１とが対向すると、乗り場側の敷居３２に設けられたブロックが分割された空間部分内に突出して遊嵌する状態となる。このため、分割部分に生じた空間は、その内部に遊嵌するブロックにより略塞がれた状態となり、この分割部分の空間からの小物類の落下を防止できる。
【００２３】
塞ぎ部材３５の上面は、図３で示すように、隙間を塞いだ塞ぎ位置にてかご側の敷居３１及び乗り場側の敷居３２の上面より下方に位置している。また、その平面形状は、敷居３１，３２の隙間を塞ぐことができる形状寸法に形成されている。すなわち、かご側の出入り口の間口よりやや大きな長さと、敷居３１，３２の隙間よりやや大きな幅とからなる平面形状を有する。
【００２４】
さらに、この塞ぎ部材３５の上部角部には面取りが施されている。
【００２５】
この塞ぎ部材３５は金属製或いは樹脂製の何れでもよいが、加工性や他の部品との緩衝性などを考慮すれば樹脂材を用いるとよい。
【００２６】
この塞ぎ部材３５は、図３で示す敷居３１，３２の隙間を塞いだ塞ぎ位置と、図２で示すように、かご側の敷居３１の下方に退避した退避位置との間を移動可能に構成されている。すなわち、後述する駆動機構により、図３の上下及び左右方向に駆動される。
【００２７】
塞ぎ部材３５は、縦向きに配置されたブラケット３７上に板バネなどの弾性体３８（以下、板バネ３８として説明する）を介して取り付けられている。このため塞ぎ部材３５は、板バネにより、かご側の敷居３１及び乗り場側の敷居３２の間隔方向に搖動可能に支持される。この板バネ３８も、図２で示すように塞ぎ部材３５と同じ部分で分割されており、ブラケット３７と共に、塞ぎ部材３５の分割された対応部分をそれぞれ支持している。
【００２８】
駆動機構は図２で示すように押し下げ部材４０、第１のリンク機構５０及び第２のリンク機構６０を有する。
【００２９】
押し下げ部材４０は、塞ぎ部材３５の下方に配置され、ブラケット３７の下端部と係合し、常時このブラケット３７を下降させ、塞ぎ部材３５を、図２で示すように、かご側の敷居３１の下方の退避位置に位置させる。すなわち、押し下げ部材４０は、図４で示すように、ブラケット３７の下端側面と対応する部分にＵ字形に切り欠いた凹部４１を有する。この凹部４１の図示上辺部には係合体４２が一体的に取り付けられている。
【００３０】
この凹部４１内には、ブラケット３７の下端部側面に一体的に取り付けられた係合ピン３７１が挿入されている。この押し下げ部材４０は、常時は自重により下降方向への力を受けている。そして、この押し下げ部材４０が下降すると、凹部４１内に挿入されている係合ピン３７１は、係合体４２と係合して押し下げられ、ブラケット３７及びその上部に板バネ３８を介して設けられた塞ぎ部材３５を押し下げる。
【００３１】
第１のリンク機構５０は、図２で示したかご扉２５の開動作に伴い、かご扉２５の戸開端（かご扉２５が全開となる位置）近くの予め設定した開位置にて、かご扉側の作動部材７０と係合し、かご扉２５の戸開方向への移動力を受けて、押し下げ部材４０を上昇させる。
【００３２】
この、第１のリンク機構５０は、図２で示すように、作動リンク５１及び平行リンク５２を有する。
【００３３】
作動リンク５１は、そのく字状部５１１の長さ方向中間部が、支軸によりかご側支持部材５３に回動可能に枢支されている。また、このく字状部５１１の図示上部には、かご扉２５側の作動部材７０との係合部５１２が図示左方に傾斜して一体に形成されている。さらに、このく字状部５１１の図示下端は、支軸を介して、押し下げ部材４０の図示左端に一体に立設された支持部材４０１の上部に支軸を介して回動可能に連結されている。
【００３４】
平行リンク５２は、その両端が支軸を介して上述した支持部材５３，４０１の下部にそれぞれ回動可能に連結している。押し下げ部材４０の図示右端にも、かご側の支持部材５３との間に平行リンク５２が設けられている。
【００３５】
したがって、第１のリンク機構５０は、その作動リンク５１の傾斜した係合部５１２が、かご扉２５の開動作に伴い、扉パネル２５ａ側に設けられた作動部材７０と係合し、戸開方向（図示左方）の力を受けて図示反時計方向に回動する。この回動により、平行リンク５２と共に押し下げ部材４０を上方に平行移動させる。
【００３６】
第２のリンク機構６０は、図３及び図４で示すように、ブラケット３７とかご側の支持部材６３との間に構成され、押し下げ部材４０の上昇に伴い、ブラケット３７を上昇させつつ横移動させる。すなわち、第２のリンク機構６０は２つの平行リンク６１，６２を有し、それらの両端は支軸を介してブラケット３７及びかご側の支持部材６３にそれぞれ回動可能に連結している。また、これら平行リンク６１、６２の、支持部材６３側の支軸には、ねじりバネ６５が設けられており、平行リンク６１，６２に、図示時計回りの回動力を与えている。したがって、ブラケット３７はこのねじりバネ６５により常時上向きのばね力を受けている。
【００３７】
この第２のリンク機構６０は、平行リンク６１，６２が、図４の状態から、図示時計回りに回動すると、ブラケット３７を図示左方へ繰り出すと共に、図示上方へ移動させ、図３の状態へ変位させる。このため、ブラケット３７上に板バネ３８を介して取り付けられた塞ぎ部材３５は、図２で示すかご側敷居３１の下方の退避位置から、斜め上方の図３で示す塞ぎ位置へ移動する。
【００３８】
上記構成において、かご扉２５が閉じた戸閉端の位置にあるとき、図２で示すように、かご扉２５側の作動部材７０は、第１のリンク機構５０の作動リンク５１とは係合しておらず、第１のリンク機構５０は、かご扉２５側からの作用力を受けていない。このため、押し下げ部材４０は、自重により下降しており、図４で示すように、その凹部４１内に挿入されているブラケット３７側の係合ピン３７１は、係合体４２との係合により押し下げられている。したがって、ブラケット３７及びその上部に板バネ３８を介して設けられた塞ぎ部材３５は、かご側敷居３１の下方の退避位置にある。
【００３９】
乗りかご４が乗り場に着床して、かご扉２５が開動作し、扉パネル２５ａが戸開端（かご扉２５の全開位置）近くの予め設定した開位置に達すると、扉パネル２５ａに設けた作動部材７０が、第１のリンク機構５０を構成する作動リンク５１の傾斜した係合部５１２と係合する。このため、作動リンク５１は、扉パネル２５ａの戸開方向（図示左方）への移動力を受けて、図示反時計回りに回動する。この図示反時計回りの回動により、作動リンク５１及び平行リンク５２は押し下げ部材４０を上昇させる。
【００４０】
押し下げ部材４０の上昇により、図４で示した係合体４２による押し下げ力が解消され、この係合体４２に係合ピン３７１を介して係合しているブラケット３７は、ねじりバネ６５のバネ力により上昇する。ブラケット３７は、平行リンク６１，６２によりかご側の支持部材６３に取り付けられているので、この上昇時、図示左方へ移動しながら上昇する。このため、ブラケット３７上に板バネ３８を介して取り付けられた塞ぎ部材３５は、図２で示すかご側敷居３１の下方の退避位置から、斜め上方の図３で示す塞ぎ位置へ移動する。
【００４１】
この塞ぎ位置への動作は、第１のリンク機構５０が反時計回りに所定の回動角、回動することで停止する。すなわち第１のリンク機構５０を構成する作動リンク５１の傾斜した係合部５１２は、上述した所定の回動角、回動すると、水平状態となるように傾斜角度が設定されている。このため、扉パネル２５ａが戸開端（全開状態）になるまで戸開動作を続けても、これ以上第１のリンク機構５０は回動せず、塞ぎ部材３５は図３で示す塞ぎ位置を保持する。
【００４２】
この塞ぎ位置では、塞ぎ部材３５は敷居３１，３２間の隙間を塞ぐので小物類がこの隙間からピット内まで落下するようなことはなく、容易に回収可能である。また、塞ぎ部材３５の上面は、敷居３１，３２の上面より下方に位置しているので、敷居３１，３２上に位置する物体の荷重が塞ぎ部材３５に加わることはなく、荷重が加わることによる塞ぎ部材３５の支持部の損傷を防止できる。
【００４３】
この塞ぎ部材３５による隙間の塞ぎ状態において、乗りかご４の荷重が大きく変化すると、乗りかご４が一時的に僅かに上昇することがある。このような乗りかご４の一時的上昇が生じても、塞ぎ部材３５の上部角部に面とりが施され、かつ塞ぎ部材３５が板バネ３８で支持されていることから、損傷などの問題は生じない。
【００４４】
例えば、乗りかご４内に満員状態で乗っていた乗客が一度に下りた場合など、乗りかごが僅かではあるが一時的に上昇する。このとき、図３で示す塞ぎ位置にある塞ぎ部材３５も上昇し、敷居３１，３２の側下辺部と当接することがある。しかし、乗り場側の敷居３２の側下辺部と対向する塞ぎ部材３５の上部角部には面とりが施されているため、この部分の当接力は弱められ、当接による損傷を防止できる。また、塞ぎ部材３５が板バネ３８で支持されていることから、上述した当接時、板バネ３８が上下方向にも撓むことから、その緩衝作用により当接による衝撃は弱められ、このことからも当接による損傷を防止できる。
【００４５】
一方、かご扉２５が閉動作し、所定の戸閉位置に移動すると、扉パネル２５ａ側に設けられた作動部材７０は、第１のリンク機構５０を構成する作動リンク５１の係合部５１２から離れる。このため、作動部材７０から第１のリンク機構５０に加わっていた力が解除され、押し下げ部材４０は自重により下降する。このため、第２のリンク機構６０は図３の状態から反時計回りに回動し、ブラケット３７及びその上に板バネ３８を介して取り付けられた塞ぎ部材３５を図３で示す塞ぎ位置から図示右斜め下方に移動させて、かご側敷居３１の下方の退避位置に戻す。
【００４６】
ここで、敷居３１，３２間の隙間の間隔にばらつきがあっても、塞ぎ部材３５を、板バネ３８を介してブラケット３７に取り付け、移動方向の前後に搖動可能に構成しているので、ずれを生じることなく隙間を確実に塞ぐことができる。
【００４７】
なお、板バネ３８が撓んだ場合、ブラケット３７との接合部に隙間が生じることがあり、この隙間に塵埃などが挟まると元の形状に復帰できなくなることが考えられる。そこで、この隙間が生じる可能性のある部分に予めコーキングや、ガバーの設置などのガードを施しておくとよい。
【００４８】
上述の実施の形態では、第1のリンク機構５０は、かご扉２５が戸開端（全開）近くに達した時点で、かご扉側の作動部材７０と係合し、塞ぎ部材３５を塞ぎ位置へ移動させていた。この構成では、かごが戸開端近くまで開かないと塞ぎ部材が塞ぎ状態とならないが、以下の図５に示す実施の形態では、より早い段階で塞ぎ部材を塞ぎ位置まで移動させるように構成した。
【００４９】
この実施の形態では、第1のリンク機構５０は、かご扉２５の戸閉端（全閉位置）寄りに予め設定した開位置にて、作動リンク５１をかご扉２５側の作動部材７０と係合させ、かご扉２５の開方向への移動力により、押し下げ部材４０を上昇させるように構成した。また、かご扉２５側の作動部材７０は、かご扉２５に対して、その開閉方向（図示左右方向）に沿って相対的にスライド可能に支持した。そして、常時は作動リンク５１との係合方向へのバネ力を与え、作動リンク５１との係合により係合反力を受けると上述したバネ力に抗して、かご扉２５側と相対的にスライドさせるように構成した。
【００５０】
具体的には、第１のリンク機構５０を構成する作動リンク５１の係合部５１２Ａを、図示のようにく字状部５１１の上端から、前述の実施形態とは反対に、図示右側に傾斜させて形成した。かご扉２５側の作動部材７０は、横長の移動ブラケット７１の図示左端部に取り付け、この移動ブラケット７１に形成した長孔７１１と、かご扉２５側の支持ピン２５１との係合により、かご扉２５の開閉方向に沿ってスライド可能に支持した。また、この移動ブラケット７１とかご扉２５との間にはバネ７２を設け、常時作動部材７０に対し、作動リンク５１との係合方向（図示左方）へのバネ力を与えている。作動部材７０は、作動リンク５１と係合し、これを所定の回動角、回動させた後に係合反力を受けると、バネ７２のバネ力に抗して扉２５側と相対的にスライドするように構成した。
【００５１】
上記構成において、かご扉２５が戸閉端（全閉位置）にあるとき、図５で示すように、かご扉２５側の作動部材７０は、第１のリンク機構５０の作動リンク５１とは係合しておらず、第１のリンク機構５０は、かご扉２５側からの作用力を受けていない。このため、押し下げ部材４０は、自重により下降しており、図４で示すように、その凹部４１内に挿入されているブラケット３７側の係合ピン３７１は、係合体４２との係合により押し下げられ、ブラケット３７及びその上部に板バネ３８を介して設けられた塞ぎ部材３５は、かご側敷居３１の下方の退避位置にある。
【００５２】
乗りかご４が乗り場に着床して、かご扉２５が開動作し、かご扉２５の戸閉端（全閉位置）寄りの予め設定した開位置に達すると、図５で示すように、扉パネル２５ａ側に設けた作動部材７０が、第１のリンク機構５０を構成する作動リンク５１の係合部５１２Ａと当接係合する。この当接係合位置は、前述の実施形態における戸開端（全開位置）近くに予め設定した開位置より、戸開開始から早い段階の開位置である。
【００５３】
この当接係合により、前述の実施形態と同様に、作動リンク５１は、かご扉２５の戸開方向（図示左方）への移動力を受けて、そのく字状部５１１の中間部に設けられた支軸を中心に図示反時計回りに回動する。この図示反時計回りの回動により、作動リンク５１及び平行リンク５２は押し下げ部材４０を上昇させる。この押し下げ部材４０の上昇により、塞ぎ部材３５は、かご側敷居３１の下方の退避位置から、斜め上方の図３で示す塞ぎ位置へ移動する。
【００５４】
この塞ぎ位置への動作により作動リンク５１は反時計回りの回動を停止し、かご扉２５側の作動部材７０は係合反力を受け停止する。このときかご扉２５は戸開端への移動途中であり、図示左方への移動を継続する。このため移動ブラケット７１に支持された作動部材７０は、ばね７２のバネ力に抗して、かご扉２５と相対的にスライドし、かご扉２５の図示左方への移動を許容する。
【００５５】
すなわち、かご扉２５の戸開開始から早い時点で第１のリンク機構５０が作動し、塞ぎ部材３５を塞ぎ位置に移動させるので、かご扉２５の開途中で、乗客が出入りして小物類を落としても、小物類が隙間部分からピットまで落下するようなことはなく容易に回収可能となる。
【００５６】
一方、かご扉２５が閉動作する場合、戸閉開始後しばらくは、ばね７２が蓄勢されていることから、かご扉２５のみ移動し、移動ブラケット７１上の作動部材は停止したままである。かご扉２５が所定の戸閉位置に移動すると、かご扉２５側の支持ピン２５１が、長孔７１１の図示右端側に移動し、長孔７１１を介して移動ブラケット７１及び作動部材７０を図示右方へ移動させる。このため作動部材７０は、第１のリンク機構５０を構成する作動リンク５１の係合部５１２Ａから離れる。このように、作動部材７０から第１のリンク機構５０に加わっていた力が解除され、押し下げ部材４０が自重で降下するため、ブラケット３７及びその上に板バネ３８を介して取り付けられた塞ぎ部材３５を図３で示す塞ぎ位置から右斜め下方に移動させ、かご側敷居３１の下方の退避位置に戻す。
【００５７】
すなわち、かご扉２５の開閉動作と塞ぎ部材３５の塞ぎ動作との間にヒステリシス特性を持たせたので、塞ぎ部材３５を、かご扉２５の最適な開位置にて塞ぎ動作させることができる。
【００５８】
なお、上述の実施形態では、塞ぎ部材３５の上面は、図３で示すように、塞ぎ位置において乗りかご側及び乗り場側の敷居３１，３２の上面より下方に位置させていたが、本願発明はこれに限定されず、塞ぎ部材３５の上面を、塞ぎ位置においてかご側及び乗り場側の敷居３１，３２の上面とほぼ同一高さに位置させてもよい。すなわち、塞ぎ部材３５の幅を、敷居３１，３２間の隙間に入るように寸法設定し、この塞ぎ部材３５の上昇ストロークを、塞ぎ部材３５の上面が敷居３１，３２の上面とほぼ同一高さとなるように設定すればよい。この場合、塞ぎ部材３５を支える板バネ３８は、上下方向に剛性の強いものを採用する。
【００５９】
このように構成すると、敷居３１，３２間に隙間の無いフラットな出入り口を形成することができる。
【００６０】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これらの実施形態やその変形は、発明の範囲や要旨に含まれると共に、特許請求の範囲に記載された発明とその均等の範囲に含まれる。
【符号の説明】
【００６１】
１…エレベータ装置
２…乗り場扉
３…昇降路
４…乗りかご
２５…かご扉
３１…かご側の敷居
３２…乗り場側の敷居
３５…塞ぎ板
３７…ブラケット
３８…弾性体
４０…押し下げ部材
５０…第１のリンク機構
５１…作動リンク
５１２…係合部
６０…第２のリンク機構
６５…ねじりバネ
７０…作動部材
７１…移動ブラケット
７２…ばね
【要約】
【課題】乗り場側の敷居とかご側の敷居間の隙間を、乗り場扉の開閉動作に機械的に連動するリンク機構により塞ぎ動作させることにより、確実な動作を低コストで実現したエレベータ装置を提供する。
【解決手段】かご側の敷居３１と乗り場側の敷居との間に生じる隙間を塞ぐ塞ぎ部材３５を有する。塞ぎ部材３５は、隙間を塞いだ塞ぎ位置と、かご側の敷居の下部の退避位置との間を移動可能に構成される。この塞ぎ部材３５を上部に取り付けたブラケット３７の下端部と係合し、常時はこのブラケットを下降させ、塞ぎ部材を退避位置に位置させる押し下げ部材４０を設ける。かご扉２５の開動作に伴い、このかご扉２５側の作動部材と係合し、この係合により受ける力で、押し下げ部材４０を上昇させる第１のリンク機構５０と、ブラケット３７とかご側の支持部材との間に構成され、押し下げ部材４０の上昇に伴い、ブラケット３７を上昇させつつ横移動させる第２のリンク機構６０とを有する。
【選択図】図２【図１】
0005981628.tif 000002
【図２】
0005981628.tif 000003
【図３】
0005981628.tif 000004
【図４】
0005981628.tif 000005
【図５】
0005981628.tif 000006